(57)【要約】共通パイロット信号を送信する無線基地局（１０１）と、無線基地局（１０１）から送信された共通パイロット信号を受信する携帯端末（１０２）とから構成される無線通信システムにおいて、携帯端末（１０２）は、無線基地局（１０１）から送信されてきた信号の受信品質を測定し、測定した受信品質を無線基地局（１０１）へ送信し、無線基地局（１０１）は、共通パイロット信号が個別チャネルと共通制御チャネルとのどちらを用いて送信するものであるかを当該共通パイロット信号のパイロットパターンに基づいて判断し、共通パイロット信号が個別チャネルを用いて送信するものであると判断した場合、受信品質に応じて共通パイロット信号の送信密度を設定し、共通パイロット信号が共通制御チャネルを用いて送信するものであると判断した場合、共通パイロット信号の送信密度を個別チャネルの送信帯域における送信密度よりも高く設定する。
2008099563.tif 000002
【特許請求の範囲】
【請求項１】
共通パイロット信号を送信する無線基地局と、該無線基地局から送信された前記共通パイロット信号を受信する携帯端末とから構成される無線通信システムにおいて、
前記携帯端末は、前記無線基地局から送信されてきた信号の受信品質を測定し、測定した受信品質を前記無線基地局へ送信し、
前記無線基地局は、前記共通パイロット信号が個別チャネルと共通制御チャネルとのどちらを用いて送信するものであるかを当該共通パイロット信号のパイロットパターンに基づいて判断し、前記共通パイロット信号が個別チャネルを用いて送信するものであると判断した場合、前記受信品質に応じて前記共通パイロット信号の送信密度を設定し、前記共通パイロット信号が共通制御チャネルを用いて送信するものであると判断した場合、前記共通パイロット信号の送信密度を個別チャネルの送信帯域における送信密度よりも高く設定する無線通信システム。
【請求項２】
請求項１に記載の無線通信システムにおいて、
前記無線基地局は、前記共通パイロット信号が個別チャネルを用いて送信するものであると判断した場合、前記受信品質に応じて前記共通パイロット信号の送信密度を周波数軸方向で設定し、前記共通パイロット信号が共通制御チャネルを用いて送信するものであると判断した場合、前記共通パイロット信号の送信密度を個別チャネルの送信帯域における送信密度よりも周波数軸方向で高く設定することを特徴とする無線通信システム。
【請求項３】
請求項１または請求項２に記載の無線通信システムにおいて、
前記無線基地局は、前記共通パイロット信号が個別チャネルを用いて送信するものであると判断した場合、前記受信品質に応じて前記共通パイロット信号の送信密度を時間軸方向で設定し、前記共通パイロット信号が共通制御チャネルを用いて送信するものであると判断した場合、前記共通パイロット信号の送信密度を個別チャネルの送信帯域における送信密度よりも時間軸方向で高く設定することを特徴とする無線通信システム。
【請求項４】
請求項１乃至３のいずれか１項に記載の無線通信システムにおいて、
前記無線基地局は、前記共通パイロット信号を送信するための送信電力を制御することにより前記送信密度を設定することを特徴とする無線通信システム。
【請求項５】
共通パイロット信号を携帯端末へ送信する無線基地局であって、
前記共通パイロット信号が個別チャネルと共通制御チャネルとのどちらを用いて送信するものであるかを当該共通パイロット信号のパイロットパターンに基づいて判断するチャネル判断部と、
前記チャネル判断部にて前記共通パイロット信号が個別チャネルを用いて送信するものであると判断した場合、前記携帯端末から送信されてきた受信品質に応じて前記共通パイロット信号の送信密度を設定し、前記チャネル判断部にて前記共通パイロット信号が共通制御チャネルを用いて送信するものであると判断した場合、前記共通パイロット信号の送信密度を個別チャネルの送信帯域における送信密度よりも高く設定する送信密度制御部とを有する無線基地局。
【請求項６】
請求項５に記載の無線基地局において、
前記送信密度制御部は、前記チャネル判断部にて前記共通パイロット信号が個別チャネルを用いて送信するものであると判断した場合、前記受信品質に応じて前記共通パイロット信号の送信密度を周波数軸方向で設定し、前記チャネル判断部にて前記共通パイロット信号が共通制御チャネルを用いて送信するものであると判断した場合、前記共通パイロット信号の送信密度を個別チャネルの送信帯域における送信密度よりも周波数軸方向で高く設定することを特徴とする無線基地局。
【請求項７】
請求項５または請求項６に記載の無線基地局において、
前記送信密度制御部は、前記チャネル判断部にて前記共通パイロット信号が個別チャネルを用いて送信するものであると判断した場合、前記受信品質に応じて前記共通パイロット信号の送信密度を時間軸方向で設定し、前記チャネル判断部にて前記共通パイロット信号が共通制御チャネルを用いて送信するものであると判断した場合、前記共通パイロット信号の送信密度を個別チャネルの送信帯域における送信密度よりも時間軸方向で高く設定することを特徴とする無線基地局。
【請求項８】
請求項５乃至７のいずれか１項に記載の無線基地局において、
前記送信密度制御部は、前記共通パイロット信号を送信するための送信電力を制御することにより前記送信密度を設定することを特徴とする無線基地局。
【請求項９】
共通パイロット信号を送信する無線基地局と、該無線基地局から送信された前記共通パイロット信号を受信する携帯端末とから構成される無線通信システムにおける共通パイロット信号送信制御方法であって、
前記携帯端末が、前記無線基地局から送信されてきた信号の受信品質を測定する処理と、
前記携帯端末が、前記測定した受信品質を前記無線基地局へ送信する処理と、
前記無線基地局が、前記共通パイロット信号が個別チャネルと共通制御チャネルとのどちらを用いて送信するものであるかを当該共通パイロット信号のパイロットパターンに基づいて判断する処理と、
前記無線基地局が、前記共通パイロット信号が個別チャネルを用いて送信するものであると判断した場合、前記受信品質に応じて前記共通パイロット信号の送信密度を設定する処理と、
前記無線基地局が、前記共通パイロット信号が共通制御チャネルを用いて送信するものであると判断した場合、前記共通パイロット信号の送信密度を個別チャネルの送信帯域における送信密度よりも高く設定する処理とを有する共通パイロット信号送信制御方法。
【請求項１０】
請求項９に記載の共通パイロット信号送信制御方法において、
前記無線基地局が、前記共通パイロット信号が個別チャネルを用いて送信するものであると判断した場合、前記受信品質に応じて前記共通パイロット信号の送信密度を周波数軸方向で設定する処理と、
前記無線基地局が、前記共通パイロット信号が共通制御チャネルを用いて送信するものであると判断した場合、前記共通パイロット信号の送信密度を個別チャネルの送信帯域における送信密度よりも周波数軸方向で高く設定する処理とを有することを特徴とする共通パイロット信号送信制御方法。
【請求項１１】
請求項９または請求項１０に記載の共通パイロット信号送信制御方法において、
前記無線基地局が、前記共通パイロット信号が個別チャネルを用いて送信するものであると判断した場合、前記受信品質に応じて前記共通パイロット信号の送信密度を時間軸方向で設定する処理と、
処理前記無線基地局が、前記共通パイロット信号が共通制御チャネルを用いて送信するものであると判断した場合、前記共通パイロット信号の送信密度を個別チャネルの送信帯域における送信密度よりも時間軸方向で高く設定する処理とを有することを特徴とする共通パイロット信号送信制御方法。
【請求項１２】
請求項９乃至１１のいずれか１項に記載の共通パイロット信号送信制御方法において、
前記無線基地局が、前記共通パイロット信号を送信するための送信電力を制御することにより前記送信密度を設定する処理を有することを特徴とする共通パイロット信号送信制御方法。
【請求項１３】
無線基地局から携帯端末へ送信される共通パイロット信号の送信密度を制御するプログラムであって、
前記共通パイロット信号が個別チャネルと共通制御チャネルとのどちらを用いて送信するものであるかを当該共通パイロット信号のパイロットパターンに基づいて判断する手順と、
前記共通パイロット信号が個別チャネルを用いて送信するものであると判断した場合、前記携帯端末から送信されてきた受信品質に応じて前記共通パイロット信号の送信密度を設定する手順と、
前記共通パイロット信号が共通制御チャネルを用いて送信するものであると判断した場合、前記共通パイロット信号の送信密度を個別チャネルの送信帯域における送信密度よりも高く設定する手順とをコンピュータに実行させるプログラム。
【請求項１４】
請求項１３に記載のプログラムにおいて、
前記共通パイロット信号が個別チャネルを用いて送信するものであると判断した場合、前記受信品質に応じて前記共通パイロット信号の送信密度を周波数軸方向で設定する手順と、
前記共通パイロット信号が共通制御チャネルを用いて送信するものであると判断した場合、前記共通パイロット信号の送信密度を個別チャネルの送信帯域における送信密度よりも周波数軸方向で高く設定する手順とをコンピュータに実行させるプログラム。
【請求項１５】
請求項１３または請求項１４に記載のプログラムにおいて、
前記共通パイロット信号が個別チャネルを用いて送信するものであると判断した場合、前記受信品質に応じて前記共通パイロット信号の送信密度を時間軸方向で設定する手順と、
前記共通パイロット信号が共通制御チャネルを用いて送信するものであると判断した場合、前記共通パイロット信号の送信密度を個別チャネルの送信帯域における送信密度よりも時間軸方向で高く設定する手順とをコンピュータに実行させるプログラム。
【請求項１６】
請求項１３乃至１５のいずれか１項に記載のプログラムにおいて、
前記共通パイロット信号を送信するための送信電力を制御することにより前記送信密度を設定する手順をコンピュータに実行させるプログラム。
【発明の詳細な説明】
【技術分野】
【０００１】
本発明は、共通パイロット信号を送信する無線通信システム、無線基地局、無線通信システムにおける共通パイロット信号送信制御方法及びプログラムに関する。
【背景技術】
【０００２】
一般的に、無線通信システムにおいて、無線上の周波数帯域を有効活用するためには、過剰な電力を用いた共通パイロット信号の送信は避けるべきである。しかしながら、従来の無線通信システムにおいては、報知情報のような共通制御チャネルを無線基地局がカバーするエリア内に存在する全端末が復調できるようにするために強い電力で送信する必要がある共通パイロット信号の送信密度は、全ての送信帯域において同一である。そのため、共通パイロット信号は全ての送信帯域において強い電力で送信されてしまい、過剰な電力を用いた送信が生じてしまう。【０００３】
そこで、個別チャネルにおけるパイロット信号の多重化方法を適応的に制御することにより、各端末装置における信号電力対干渉電力比であるＣＩＲの低下を防ぐ技術が考えられている（例えば、特許公開２００５−００６２８７号公報参照。）。【０００４】
また、無線基地局から携帯端末へ送信されるパイロット信号の信号密度を、当該無線基地局がカバーするセル環境や無線基地局と携帯端末との間における通信品質に応じて変更する技術が考えられている（例えば、特許公表２００２−５２２９８８号公報、特許公表２００６−５２４９６６号公報参照。）。【０００５】
しかしながら、特許公開２００５−００６２８７号公報に記載された技術においては、端末装置において全ての多重化方法に対応したチャネル推定部が必要となり、端末サイズに影響を及ぼす虞がある。【０００６】
また、特許公開２００５−００６２８７号公報、特許公表２００２−５２２９８８号公報、特許公表２００６−５２４９６６号公報に記載された技術においては、共通制御チャネルにおける共通パイロット信号の送信については考慮されていない。
【発明の開示】
【０００７】
本発明は、上述した課題を解決するため、無線基地局と携帯端末との間の周波数帯域を容易に有効活用することができる無線通信システム、無線基地局、無線通信システムにおける共通パイロット信号送信制御方法及びプログラムを提供することを目的とする。
【０００８】
上記目的を達成するために本発明は、
共通パイロット信号を送信する無線基地局と、該無線基地局から送信された前記共通パイロット信号を受信する携帯端末とから構成される無線通信システムにおいて、
前記携帯端末は、前記無線基地局から送信されてきた信号の受信品質を測定し、測定した受信品質を前記無線基地局へ送信し、
前記無線基地局は、前記共通パイロット信号が個別チャネルと共通制御チャネルとのどちらを用いて送信するものであるかを当該共通パイロット信号のパイロットパターンに基づいて判断し、前記共通パイロット信号が個別チャネルを用いて送信するものであると判断した場合、前記受信品質に応じて前記共通パイロット信号の送信密度を設定し、前記共通パイロット信号が共通制御チャネルを用いて送信するものであると判断した場合、前記共通パイロット信号の送信密度を個別チャネルの送信帯域における送信密度よりも高く設定する。
【０００９】
また、共通パイロット信号を携帯端末へ送信する無線基地局であって、
前記共通パイロット信号が個別チャネルと共通制御チャネルとのどちらを用いて送信するものであるかを当該共通パイロット信号のパイロットパターンに基づいて判断するチャネル判断部と、
前記チャネル判断部にて前記共通パイロット信号が個別チャネルを用いて送信するものであると判断した場合、前記携帯端末から送信されてきた受信品質に応じて前記共通パイロット信号の送信密度を設定し、前記チャネル判断部にて前記共通パイロット信号が共通制御チャネルを用いて送信するものであると判断した場合、前記共通パイロット信号の送信密度を個別チャネルの送信帯域における送信密度よりも高く設定する送信密度制御部とを有する。
【００１０】
また、共通パイロット信号を送信する無線基地局と、該無線基地局から送信された前記共通パイロット信号を受信する携帯端末とから構成される無線通信システムにおける共通パイロット信号送信制御方法であって、
前記携帯端末が、前記無線基地局から送信されてきた信号の受信品質を測定する処理と、
前記携帯端末が、前記測定した受信品質を前記無線基地局へ送信する処理と、
前記無線基地局が、前記共通パイロット信号が個別チャネルと共通制御チャネルとのどちらを用いて送信するものであるかを当該共通パイロット信号のパイロットパターンに基づいて判断する処理と、
前記無線基地局が、前記共通パイロット信号が個別チャネルを用いて送信するものであると判断した場合、前記受信品質に応じて前記共通パイロット信号の送信密度を設定する処理と、
前記無線基地局が、前記共通パイロット信号が共通制御チャネルを用いて送信するものであると判断した場合、前記共通パイロット信号の送信密度を個別チャネルの送信帯域における送信密度よりも高く設定する処理とを有する。
【００１１】
また、無線基地局から携帯端末へ送信される共通パイロット信号の送信密度を制御するプログラムであって、
前記共通パイロット信号が個別チャネルと共通制御チャネルとのどちらを用いて送信するものであるかを当該共通パイロット信号のパイロットパターンに基づいて判断する手順と、
前記共通パイロット信号が個別チャネルを用いて送信するものであると判断した場合、前記携帯端末から送信されてきた受信品質に応じて前記共通パイロット信号の送信密度を設定する手順と、
前記共通パイロット信号が共通制御チャネルを用いて送信するものであると判断した場合、前記共通パイロット信号の送信密度を個別チャネルの送信帯域における送信密度よりも高く設定する手順とをコンピュータに実行させる。
【００１２】
以上説明したように本発明においては、無線基地局から送信された共通パイロット信号を受信する携帯端末にて、無線基地局から送信されてきた信号の受信品質を測定し、測定された受信品質を携帯端末から無線基地局へ送信し、無線基地局にて、共通パイロット信号が個別チャネルと共通制御チャネルとのどちらを用いて送信されるものであるかを当該共通パイロット信号のパイロットパターンに基づいて判断し、共通パイロット信号が個別チャネルを用いて送信されるものであると判断された場合、携帯端末から送信されてきた受信品質に応じて共通パイロット信号の送信密度を設定し、共通パイロット信号が共通制御チャネルを用いて送信されるものであると判断された場合、共通パイロット信号の送信密度を個別チャネルの送信帯域における送信密度よりも高く設定する構成としたため、無線基地局から送信された共通パイロット信号の携帯端末における受信品質を良好に保つことができる。
【図面の簡単な説明】
【００１３】
【図１】本発明の無線通信システムの実施の一形態を示す図である。
【００１４】
【図２】図１に示した無線通信システムにおける共通パイロット信号送信制御方法を説明するためのフローチャートである。
【００１５】
【図３】共通制御チャネル送信帯域において共通パイロット信号の送信密度が高く設定された送信パターンの一例を示す図である。
【００１６】
【図４】共通制御チャネル送信帯域において共通パイロット信号の送信密度が高く設定された送信パターンの他の例を示す図である。
【００１７】
【図５】共通制御チャネル送信帯域以外の送信帯域において共通パイロット信号の送信密度が高く設定された送信パターンの一例を示す図である。
【００１８】
【図６】共通制御チャネル送信帯域以外の送信帯域において共通パイロット信号の送信密度が高く設定された送信パターンの他の例を示す図である。
【発明を実施するための最良の形態】
【００１９】
以下に、本発明の実施の形態について図面を参照して説明する。【００２０】
図１は、本発明の無線通信システムの実施の一形態を示す図である。【００２１】
本形態は図１に示すように、無線基地局１０１と、無線基地局１０１と接続可能に構成された携帯端末１０２とから構成されている。図１には、無線基地局１０１に接続された携帯端末１０２を１台で示しているが、２台以上の複数であっても良く、その台数についてはここでは限定しない。【００２２】
さらに無線基地局１０１には、共通パイロット信号生成部１１１と、チャネル判断部１１２と、受信品質判定部１１３と、送信密度制御部１１４と、通信処理部１１５とが設けられている。ここで、図１には無線基地局１０１が有する構成要素のうち、本発明に関わる構成要素のみを示した。【００２３】
共通パイロット信号生成部１１１は、無線基地局１０１から携帯端末１０２へ送信される共通パイロット信号を生成する。【００２４】
チャネル判断部１１２は、共通パイロット信号生成部１１１にて生成された共通パイロット信号を送信するために用いられるチャネルが共通制御チャネルであるか、または個別チャネルであるかを判断する。【００２５】
受信品質判定部１１３は、携帯端末１０２から送信されてきた受信品質情報に基づいて、携帯端末１０２における受信品質が良いものであるかどうかを判断する。【００２６】
送信密度制御部１１４は、チャネル判断部１１２にて判断されたチャネルと受信品質判定部１１３にて判定された結果とに基づいて共通パイロット信号を送信する送信密度を設定する。【００２７】
通信処理部１１５は、共通パイロット信号生成部１１１にて生成された共通パイロット信号を、送信密度制御部１１４にて設定された送信密度で携帯端末１０２へ送信する。また、携帯端末１０２から送信された受信品質情報を受信して受信品質判定部１１３へ出力する。【００２８】
また、携帯端末１０２には、通信処理部１２１と、受信品質測定部１２２とが設けられている。ここで、図１には携帯端末１０２が有する構成要素のうち、本発明に関わる構成要素のみを示した。【００２９】
通信処理部１２１は、無線基地局１０１から送信された信号を受信して受信品質測定部１２２へ出力する。また、受信品質測定部１２２から出力された受信品質情報を上り信号に多重して無線基地局１０１へ送信する。【００３０】
受信品質測定部１２２は、通信処理部１２１にて受信された信号についての受信品質を測定する。【００３１】
以下に、図１に示した無線通信システムにおける共通パイロット信号送信制御方法について説明する。【００３２】
図２は、図１に示した無線通信システムにおける共通パイロット信号送信制御方法を説明するためのフローチャートである。【００３３】
まず、ステップ１にて、無線基地局１０１の共通パイロット信号生成部１１１にて共通パイロット信号が生成される。この生成方法については、従来のものと同様であり、当該共通パイロット信号の送信に用いるチャネルに応じたパイロットパターンを持つ共通パイロット信号が生成されるものである。ここで用いられるチャネルは、無線基地局１０１に接続された上位装置（不図示）からの指示により決定されるものである。【００３４】
共通パイロット信号生成部１１１にて共通パイロット信号が生成されると、生成された共通パイロット信号のパイロットパターンに基づいて当該共通パイロット信号の送信に用いられるチャネルが共通制御チャネルであるかどうかが、ステップ２にて、チャネル判断部１１２において判断される。【００３５】
当該共通パイロット信号の送信に用いられるチャネルが共通制御チャネルであると判断された場合、ステップ３にて、当該共通パイロット信号の送信密度が送信密度制御部１１４にて高く設定される。【００３６】
図３は、共通制御チャネル送信帯域において共通パイロット信号の送信密度が高く設定された送信パターンの一例を示す図である。【００３７】
図３に示すように、無線基地局１０１から送信される信号のうち、共通制御チャネル送信帯域における共通パイロット信号の送信密度が、他の送信帯域つまり個別チャネル送信帯域における送信密度と比べて、時間軸方向及び周波数軸方向で高く（密に）設定されている。ここで、時間軸方向でのみ送信密度が高く設定されるものであっても良いし、また周波数軸方向でのみ送信密度が高く設定されるものであっても良い。【００３８】
また、図３に示すような時間軸方向または周波数軸方向で送信密度が高く設定されるものではなく、共通制御チャネル送信帯域における当該共通パイロット信号の送信電力が高く制御されることにより、送信密度が高く設定されるものであっても良い。【００３９】
図４は、共通制御チャネル送信帯域において共通パイロット信号の送信密度が高く設定された送信パターンの他の例を示す図である。【００４０】
図４に示すように、無線基地局１０１から送信される信号のうち、共通制御チャネル送信帯域における共通パイロット信号の送信電力を、他の送信帯域、他の送信帯域つまり個別チャネル送信帯域における送信電力と比べて高く制御することにより、共通パイロット信号の送信密度が高く設定されている。【００４１】
一方、ステップ２にて当該共通パイロット信号の送信に用いられるチャネルが共通制御チャネルではない、つまり、個別チャネルであると判断された場合は、携帯端末１０２から送信される上り信号に多重された受信品質情報が、ステップ４にて、受信品質判定部１１３において取得される。この受信品質情報は、無線基地局１０１から送信されて携帯端末１０２にて受信される下り信号の受信品質が携帯端末１０２の受信品質測定部１２２にて測定された結果が示された情報である。ここで、受信品質測定部１２２にて測定される受信品質は、従来のものと同様であり、例えば、携帯端末１０２にて受信された下り信号の受信電界強度が測定されたものであっても良いし、無線基地局１０１と携帯端末１０２との間における伝搬遅延時間が測定されるものであっても良い。これらの測定値がそのまま受信品質情報とされてもかまわない。【００４２】
その後、受信品質判定部１１３にて取得された受信品質情報に示された受信品質が良いものであるかどうかがステップ５にて判定される。つまり、無線基地局１０１と携帯端末１０２との間の通信環境が良好であるかどうかが判定される。具体的には、当該受信品質情報に示された受信品質と予め設定された閾値とが比較されることにより、無線基地局１０１と携帯端末１０２との間の通信環境が良好であるかどうかが判定される。【００４３】
例えば、当該受信品質情報に示された受信電界強度が予め設定された受信電界強度閾値よりも高い場合、無線基地局１０１と携帯端末１０２との間の通信環境が良好であると判定される。また、当該受信品質情報に示された受信電界強度が予め設定された受信電界強度閾値よりも高くはない場合、無線基地局１０１と携帯端末１０２との間の通信環境が良好ではないと判定される。また、当該受信品質情報に示された伝搬遅延時間が予め設定された伝搬遅延時間閾値よりも短い場合、無線基地局１０１と携帯端末１０２との間の通信環境が良好であると判定される。また、当該受信品質情報に示された伝搬遅延時間が予め設定された伝搬遅延時間閾値よりも短くはない場合、無線基地局１０１と携帯端末１０２との間の通信環境が良好ではないと判定される。【００４４】
通信環境が良好であると判定された場合、ステップ６にて、無線基地局１０１から送信される信号のうち、共通パイロット信号の送信密度が他の信号と比べて、低く設定される。これは、ステップ３にて説明したような時間軸方向及び周波数軸方向で低く設定されるものであっても良いし、時間軸方向でのみ送信密度が低く設定されるものであっても良いし、また周波数軸方向でのみ送信密度が低く設定されるものであっても良い。【００４５】
一方、通信環境が良好ではないと判定された場合は、ステップ７にて、無線基地局１０１から送信される信号のうち、共通パイロット信号の送信密度が他の信号と比べて、高く設定される。これはステップ３にて説明したような時間軸方向及び周波数軸方向で低く設定されるものであっても良いし、時間軸方向でのみ送信密度が高く設定されるものであっても良いし、また周波数軸方向でのみ送信密度が高く設定されるものであっても良い。【００４６】
図５は、共通制御チャネル送信帯域以外の送信帯域において共通パイロット信号の送信密度が高く設定された送信パターンの一例を示す図である。【００４７】
図５に示すように共通制御チャネル送信帯域以外、つまり個別チャネル送信帯域において、受信品質が予め設定された閾値よりも良い場合、送信密度が低く設定され、また、受信品質が当該閾値よりも悪い場合は、送信密度が時間軸方向及び周波数軸方向で高く設定される。【００４８】
図６は、共通制御チャネル送信帯域以外の送信帯域において共通パイロット信号の送信密度が高く設定された送信パターンの他の例を示す図である。【００４９】
図６に示すように共通制御チャネル送信帯域以外、つまり個別チャネル送信帯域において、複数の閾値が予め設定されているものであっても良い。これらの閾値と受信品質との比較結果に基づいて共通パイロット信号の送信電力が制御されることにより、共通パイロット信号の送信密度が設定される。【００５０】
その後、送信すべき共通パイロット信号がまだ存在するかどうかがステップ８にて判断され、送信すべき共通パイロット信号が存在しない場合、処理は終了する。【００５１】
以上説明したように、報知情報受信前の携帯端末に割り当てられる共通制御チャネル送信帯域における共通パイロット信号の送信密度を高めることにより、無線基地局１０１近辺の携帯端末だけでなく、無線基地局１０１がカバーするセルの端に存在する携帯端末もより確実に報知情報を受信できるようになる。その結果として、無線基地局１０１がカバーするセルの半径を広げることができる。【００５２】
また、報知情報受信後の携帯端末に割り当てられる個別チャネルを送信している帯域の共通パイロット信号の送信密度を受信品質に応じて動的に制御することにより、共通パイロット信号の過剰な送信を抑えることができる。また、携帯端末の受信特性を良好に保つことができる。【００５３】
なお、本発明は、ＬＴＥ（Long  Term  Evolution）を利用した携帯電話機における通信に適用することが可能であるが、ＦＤＭ（Frequency  Division  Multiplexing）やＯＦＤＭ（Orthogonal  Frequency  Division  Multiplexing）を利用した携帯電話機やＷｉｒｅｌｅｓｓ  ＬＡＮなどの１つの無線基地局と多数の端末とが通信を行うような無線通信システムにも適用することが可能である。【００５４】
また、本発明においては、無線基地局１０１内の処理は上述の専用のハードウェアにより実現されるもの以外に、その機能を実現するためのプログラムを無線基地局１０１にて読取可能な記録媒体に記録し、この記録媒体に記録されたプログラムを無線基地局１０１に読み込ませ、実行するものであっても良い。無線基地局１０１にて読取可能な記録媒体とは、フロッピーディスク（登録商標）、光磁気ディスク、ＤＶＤ、ＣＤなどの移設可能な記録媒体の他、無線基地局１０１に内蔵されたＨＤＤ等を指す。この記録媒体に記録されたプログラムは、例えば、無線基地局１０１が有する制御部（不図示）にて読み込まれ、制御部の制御によって、上述したものと同様の処理が行われる。ここで、無線基地局１０１が有する制御部は、プログラムが記録された記録媒体から読み込まれたプログラムを実行するコンピュータとして動作するものである。【００５５】
また、上述したように本発明の無線通信システムは、無線基地局は、共通パイロット信号が個別チャネルを用いて送信するものであると判断した場合、受信品質に応じて共通パイロット信号の送信密度を周波数軸方向で設定し、共通パイロット信号が共通制御チャネルを用いて送信するものであると判断した場合、共通パイロット信号の送信密度を個別チャネルの送信帯域における送信密度よりも周波数軸方向で高く設定しても良い。【００５６】
また、無線基地局は、共通パイロット信号が個別チャネルを用いて送信するものであると判断した場合、受信品質に応じて共通パイロット信号の送信密度を時間軸方向で設定し、共通パイロット信号が共通制御チャネルを用いて送信するものであると判断した場合、共通パイロット信号の送信密度を個別チャネルの送信帯域における送信密度よりも時間軸方向で高く設定しても良い。【００５７】
また、無線基地局は、共通パイロット信号を送信するための送信電力を制御することにより送信密度を設定しても良い。【００５８】
また、上述したように本発明の無線基地局は、送信密度制御部は、チャネル判断部にて共通パイロット信号が個別チャネルを用いて送信するものであると判断した場合、受信品質に応じて共通パイロット信号の送信密度を周波数軸方向で設定し、チャネル判断部にて共通パイロット信号が共通制御チャネルを用いて送信するものであると判断した場合、共通パイロット信号の送信密度を個別チャネルの送信帯域における送信密度よりも周波数軸方向で高く設定しても良い。【００５９】
また、送信密度制御部は、チャネル判断部にて共通パイロット信号が個別チャネルを用いて送信するものであると判断した場合、受信品質に応じて共通パイロット信号の送信密度を時間軸方向で設定し、チャネル判断部にて共通パイロット信号が共通制御チャネルを用いて送信するものであると判断した場合、共通パイロット信号の送信密度を個別チャネルの送信帯域における送信密度よりも時間軸方向で高く設定しても良い。【００６０】
また、送信密度制御部は、共通パイロット信号を送信するための送信電力を制御することにより送信密度を設定しても良い。【００６１】
また、上述したように本発明の共通パイロット信号送信制御方法は、無線基地局が、共通パイロット信号が個別チャネルを用いて送信するものであると判断した場合、受信品質に応じて共通パイロット信号の送信密度を周波数軸方向で設定する処理と、
無線基地局が、共通パイロット信号が共通制御チャネルを用いて送信するものであると判断した場合、共通パイロット信号の送信密度を個別チャネルの送信帯域における送信密度よりも周波数軸方向で高く設定する処理とを有しても良い。【００６２】
また、無線基地局が、共通パイロット信号が個別チャネルを用いて送信するものであると判断した場合、受信品質に応じて共通パイロット信号の送信密度を時間軸方向で設定する処理と、
無線基地局が、共通パイロット信号が共通制御チャネルを用いて送信するものであると判断した場合、共通パイロット信号の送信密度を個別チャネルの送信帯域における送信密度よりも時間軸方向で高く設定する処理とを有しても良い。【００６３】
また、無線基地局が、共通パイロット信号を送信するための送信電力を制御することにより送信密度を設定する処理を有しても良い。【００６４】
また、上述したように本発明のプログラムは、共通パイロット信号が個別チャネルを用いて送信するものであると判断した場合、受信品質に応じて共通パイロット信号の送信密度を周波数軸方向で設定する手順と、
共通パイロット信号が共通制御チャネルを用いて送信するものであると判断した場合、共通パイロット信号の送信密度を個別チャネルの送信帯域における送信密度よりも周波数軸方向で高く設定する手順とをコンピュータに実行させても良い。【００６５】
また、共通パイロット信号が個別チャネルを用いて送信するものであると判断した場合、受信品質に応じて共通パイロット信号の送信密度を時間軸方向で設定する手順と、
共通パイロット信号が共通制御チャネルを用いて送信するものであると判断した場合、共通パイロット信号の送信密度を個別チャネルの送信帯域における送信密度よりも時間軸方向で高く設定する手順とをコンピュータに実行させても良い。【００６６】
また、共通パイロット信号を送信するための送信電力を制御することにより送信密度を設定する手順をコンピュータに実行させても良い。【００６７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。【００６８】
この出願は、２００７年２月１６日に出願された日本出願特願２００７−０３６４１３を基礎とする優先権を主張し、その開示の全てをここに取り込む。
【図１】
2008099563.tif 000003
【図２】
2008099563.tif 000004
【図３】
2008099563.tif 000005
【図４】
2008099563.tif 000006
【図５】
2008099563.tif 000007
【図６】
2008099563.tif 000008
【国際調査報告】
2008099563.tif 000009
2008099563.tif 000010